(57)【要約】      （修正有）【課題】飲食物の容器を温める保温器を提供する。【解決手段】カップや鍋などの容器２００が載る、器具本体１１の上面側に発熱部を設け、この発熱部を発熱させる発熱部用の充電式バッテリーを器具本体１１内に内蔵させ、使用時に、発熱部用のオン・オフスイッチ８０をオンにして、容器２００内の飲食物を温める保温器１０であり、充電式であるため、使用時、外部電源コードが不要で、器具本体１１の持ち運びが自在にできる。優れた使い勝手が得られる。また、器具本体１１は、カップや鍋などの容器２００や受け皿などとは別体の構造であり、さまざまな用途に対応することができる。例えば、コーヒーカップの保温、鍋料理の保温などである。【選択図】図１
0003190475.tif 000002
【実用新案登録請求の範囲】
【請求項１】
請求項１記載の本考案は、器具本体を有し、この器具本体には、カップや鍋などの容器が載る、前記器具本体の上面側に設けた発熱部と、前記器具本体の外側に開口させた外部電源の入力部と、前記器具本体内に内臓させた前記発熱部用の充電式バッテリーと、前記充電式バッテリーの充電部と、前記充電式バッテリー用の充電警報灯と、前記発熱部用のオン・オフスイッチと、前記オン・オフスイッチ用のオン・オフ警報灯とからなる保温器。
【考案の詳細な説明】
【技術分野】
【０００１】
本考案は、飲食物のカップや鍋などの容器を温める保温器に関するものである。
【背景技術】
【０００２】
喫茶店などにおいて、コーヒーの入ったカップは、飲用時間が長くなると、コーヒーが冷めてしまう。そうすると、折角のコーヒーも、味の低下は避けられない。
また、ホテルや旅館などの大集合の飲食場などでは、材料の入った鍋を、小型の加熱コンロに載せ、コンロ内の固形燃料に着火し、加熱することがよく行われている。
この場合も、飲食時間が長くなると、飲食物が、冷めてしまう。そうすると、やはり折角の鍋料理の味は、低下してしまう。
従来、このような事態に対処するべく、例えば、食品保温器が提案されている。
【先行技術文献】
【特許文献】
【０００３】
【特許文献１】特開平０５−３１７１８７号公報
【０００４】
この食品保温器は、食品用の皿と保温器が一体となったもので、しかも、内臓の発熱体には、外部電源コード（ＡＣ電源）が接続された構造のものである。
このため、使用時、外部電源コードが邪魔になり、取り扱いが不便なものである。また、食品用の皿が一体であることから、用途が限られるという問題がある。
【考案の概要】
【考案が解決しようとする課題】
【０００５】
本考案は、このような実情に鑑みてなされたもので、飲食物の入る、カップや鍋などの容器を保温する際、電源コードが不要で、かつ、幅広い用途が可能な保温器を提供するものである。
【課題を解決するための手段】
【０００６】
請求項１記載の本考案は、器具本体を有し、この器具本体には、カップや鍋などの容器が載る、前記器具本体の上面側に設けた発熱部と、前記器具本体の外側に開口させた外部電源の入力部と、前記器具本体内に内臓させた前記発熱部用の充電式バッテリーと、前記充電式バッテリーの充電部と、前記充電式バッテリー用の充電警報灯と、前記発熱部用のオン・オフスイッチと、前記オン・オフスイッチ用のオン・オフ警報灯とからなる保温器にある。
【考案の効果】
【０００７】
請求項１記載の本考案では、電源が内臓の充電式バッテリーであるため、使用時、外部電源コードが不要となり、器具本体の持ち運びが自在にできる。つまり、優れた使い勝手が得られる。
また、器具本体は、カップや鍋などの容器や受け皿などとは、別体の構造であるため、さまざまな用途に対応することができる。例えば、コーヒーカップの保温、鍋料理の保温などである。
【図面の簡単な説明】
【０００８】
【図１】本考案に係る保温器の使用態様の一例を示した部分欠截側面図である。
【図２】図１の保温器を示した部分欠截平面図である。
【図３】本考案に係る保温器の他の例の示した部分欠截側面図である。
【図４】本考案に係る保温器と電源供給部を示した概略説明図である。
【図５】本考案に係る保温器における電気部品のブロック図である。
【図６】本考案に係る保温器の使用態様の他例になる側面図である。
【図７】本考案に係る保温器の使用態様の他例になる部分欠截側面図である。
【図８】（ａ）〜（ｂ）  本考案に係る保温器の使用態様の他例になる部分欠截側面図である。
【考案を実施するための形態】
【０００９】
本発明に係る保温器を図面に基づいて説明する。
図１〜図２中、１０は保温器を示し、１１はその円形型（角形、多角形も可能）とした器具本体である。この器具本体１１は、本例の場合、偏平型の下部本体部１１ａと、この上面周縁に廻された筒部１２を有する上部本体部１１ｂとからなる。器具本体１１はケースをなすもので、その部材は特に限定されないが、例えば、プラスチック（好ましくは耐熱性プラスチック）、金属板、陶器などで形成するとよい。
【００１０】
下部本体部１１ａの上面側には、円盤状（形状は特に問わない）の発熱部２０を露出させて設け、上部本体部１１ｂの筒部１２の内側には、帯状の発熱部２０を設けてある。
筒部１２の高さは特に限定されない。発熱部２０は、特に限定されないが、例えば、内部にニクロム線などの発熱線を埋め込んだものや、プラスチック材料の導電材を混和させた、面状の発熱性プラスチックなどのものを用いるとよい。
【００１１】
下部本体部１１ａの内部には、図２に示すように、発熱部用の充電式バッテリー（充電電池、形態電話などで用いられている薄型の使用が好ましい）３０、充電式バッテリーの充電部４０、これらの部品のための制御部基板ユニット５０が内臓させてある。
下部本体部１１ａの外側の一部には、外方に開口させた外部電源の入力部（ソケット部）６０が設けてあり、外部電源コード１００側の電源供給部（ソケット部）１１０が接続されるようになっている。
【００１２】
また、下部本体部１１ａ側の一部には、充電式バッテリー用の充電警報灯７０と、発熱部用のオン・オフスイッチ８０と、オン・オフスイッチ用のオン・オフ警報灯９０が設けてある。これらの警報灯７０、９０としては、ＬＥＤや小型ランプ、特にＬＥＤの使用が好ましい。オン・オフスイッチ８０構造は特に限定されない。本例では、例えば、初回の押圧でオンとなり、次回の押圧でオフとなるものを用いている。
【００１３】
本考案の保温器１０の場合、図３に示すように、上部本体部１１ｂを省略して、下部本体部１１ａだけの器具本体１１とすることもできる。
【００１４】
本考案の保温器１０における、電気部品の関係を示すと、図４の如くである。
図４において、電源制御部５０ａと発熱制御部５０ｂは、上記した図２の制御部基板ユニット５０に設けてある。電源制御部５０ａには、安全シューズ５１とその駆動回路が設けてある。発熱制御部５０ｂには、上記した発熱部用のオン・オフスイッチ８０、オン・オフスイッチ用のオン・オフ警報灯９０の制御回路、保温器１０の使用時における、加熱温度を検知する温度センサ５２、この温度センサ５２による異常加熱の検知で、発熱を停止させる制御回路、安全シューズ５１とその駆動回路が設けてある。
また、充電部４０には、充電式バッテリー３０が所定の充電量に達したとき、充電を停止させる充電停止回路と、この充電完了を知らせる、充電警報灯７０の駆動回路が設けてある。
【００１５】
従って、本考案の保温器１０では、使用に際して、事前に、外部電源コード１００の電源供給部１１０を器具本体１１側の外部電源の入力部６０に差し込み、内臓の充電式バッテリー３０を充電する必要がある。
充電が完了すれば、充電警報灯７０が、例えば、消灯するため、その完了を知ることができる。なお、充電完了時、点灯させることもできる。この事前充電は、喫茶店などの場合、通常、厨房で行うわけであるが、例えば、図５に示すように、多数の外部電源コード１００を電源分岐部品１２０から分岐さ、その先端の電源供給部１１０を、必要な数の保温器１０に接続させて、充電させるとよい。
これによって、厨房などの狭いスペースにおいて、効率的に充電させることができる。すなわち、極めて便利な使い勝手が得られる。
【００１６】
そして、コーヒーの提供時には、図１〜図２に示すように、器具本体１１の下部本体部１１ａの上面側の発熱部２０に、コーヒーカップ２００を載せて提供する。
このとき、予め、発熱部用のオン・オフスイッチ８０をオンにして、提供してもよい。或いは、使用者（お客様）に説明して、コーヒーが冷めてきたら、オン・オフスイッチ８０をオンにして、温めてもらうようにしてもよい。勿論、オン・オフスイッチ８０のオン時には、オン・オフ警報灯９０が点灯するため、保温中であることが、直ぐ解る。
【００１７】
この保温中には、先ず、下部本体部１１ａの上面側の発熱部２０からの熱が、直接コーヒーカップ２００の底面側に伝わる一方、上部本体部１１ｂの筒部１２の帯状の発熱部２０からは、輻射熱として、コーヒーカップ２００の下方側面側に伝わる。
これによって、カップ内のコーヒーが冷えることを、効果的に防止することができる。一旦、温度の下がったコーヒーを温めることもできる。
発熱部２０の加熱温度としては、特に限定されないが、安全性なども考慮して、６０℃以下とすることが好ましい。この保温によって、常に温かいコーヒーを、味の低下を招くことなく、正味することができる。
なお、上部本体部１１ｂの筒部１２にあっては、コーヒーカップ２００のみならず、この種の容器では、把手２１０の形状が様々であるため、図１に示すように、筒部１２に把手を位置させる把手用の切欠部１２ａを設けておくとよい。
【００１８】
一方、図３に示したように、上部本体部１１ｂを省略した、上面側がフラットな偏平型（多少の凹凸は可能）の器具本体１１では、その上面側の発熱部２０に、図６に示すように、コーヒーカップ２００を、直接載せて、提供することができる。また、図７に示すように、コーヒーカップ２００を、受け皿２２０に載せて、提供することもできる。
この場合、加熱効率の低下があるものの、発熱部２０からの熱は、コーヒーカップ２００の底面側に伝わるため、やはりコーヒーの温度低下を防止することができる。
【００１９】
図３の偏平型の保温器１０は、例えば、図８（ａ）〜（ｂ）に示すような、鍋料理などでも、用いることができる。
例えば、ホテルや旅館などの大集合の飲食場などにおいて、図８（ａ）に示すように、材料の入った鍋（料理容器）３００を小型の加熱コンロ３１０に載せ、さらに、これらを、保温器１０の上面側に載せる。この状態で、コンロ内の固形燃料３１１に着火して、鍋３００を加熱する。これによって、固形燃料３１１が燃え尽きると、ほぼ鍋料理などが仕上がる。
【００２０】
しかし、仕上がった鍋料理などの飲食時間が、イベントなどによって、長くなると、折角の鍋料理が冷めてしまう。
このときには、図８（ｂ）に示すように、加熱コンロ３１０と保温器１０を載せ換え、保温器１０のオン・オフスイッチ８０をオンにする。これによって、発熱部２０が発熱するため、鍋料理などの温度低下を防止することができる。
オン・オフスイッチ８０のオン・オフは、事前に使用者に説明して、行ってもらえばよい。或いは、時間の経過を見計らって、従業員側が行うこともできる。
また、偏平型の保温器１０は、当初、鍋料理などのお膳などの脇に用意しておいて、温める際に、加熱コンロ３１０と入れ換えて、使用することもできる。
【００２１】
なお、本考案の上記説明では、図示を省略したが、充電式バッテリー３０にあっては、保温器１０の器具本体１１の底面側に開閉蓋とバッテリー収納部を設けて、必要により、充電式バッテリー３０を出し入れできる構成とする。
【符号の説明】
【００２２】
１０・・・保温器、１１・・・器具本体、１１ａ・・・下部本体部、１１ｂ・・・上部本体部、２０・・・発熱体、３０・・・充電式バッテリー、４０・・・充電部、５０・・・制御部基板ユニット、５１ａ・・・電源制御部、５１ｂ・・・発熱制御部、５１・・・安全シューズ、５２・・・温度センサ、６０・・・外部電源の入力部、７０・・・充電警報灯、８０・・・発熱部用のオン・オフスイッチ、９０・・・オン・オフ警報灯、１００・・・外部電源コード、１１０・・・電源供給部、２００・・・コーヒーカップ（容器）、３００・・・鍋、３１０・・・加熱コンロ
【図１】
0003190475.tif 000003
【図２】
0003190475.tif 000004
【図３】
0003190475.tif 000005
【図４】
0003190475.tif 000006
【図５】
0003190475.tif 000007
【図６】
0003190475.tif 000008
【図７】
0003190475.tif 000009
【図８】
0003190475.tif 000010
【手続補正書】
【提出日】平成26年2月27日(2014.2.27)
【手続補正１】
【補正対象書類名】実用新案登録請求の範囲
【補正対象項目名】全文
【補正方法】変更
【補正の内容】
【実用新案登録請求の範囲】
【請求項１】
容器が載る器具本体を有し、この器具本体には、前記器具本体の上面側に設けた発熱部と、前記器具本体の外側に開口させた外部電源の入力部と、前記器具本体内に内臓させた前記発熱部用の充電式バッテリーと、前記充電式バッテリーの充電部と、前記充電式バッテリー用の充電警報灯と、前記発熱部用のオン・オフスイッチと、前記オン・オフスイッチ用のオン・オフ警報灯とからなる保温器。